(57)【要約】【課題】情報の表示を適切に行うことができる照明装置を提供すること。【解決手段】照明装置１００であって、発光装置１１０と、端面１２５から内部に入射された発光装置１１０からの光を第一側面１２１および第二側面１２２に導く導光板１２０と、第一側面１２１および第二側面１２２のうちの一方の側面に沿って配置され、当該一方の側面から放射される光によって情報を表示する、透光性を有する表示シート１５０とを備え、導光板１２０は、当該一方の側面に設けられた光拡散部１２１ａまたは１２２ａを有し、表示シート１５０は、平面視における領域である、情報を示す形状の有色物１５７が配置された配置領域１５８を有し、発光装置１１０が発光した場合において、当該一方の側面から放射される光の輝度をＬ０とし、配置領域１５８を透過して外部に放射される光の輝度をＬ１としたとき、Ｌ１／Ｌ０は０．１３以上である。【選択図】図５
2016143453.tif 000002
【特許請求の範囲】
【請求項１】
発光装置と、
端面から内部に入射された前記発光装置からの光を、前記端面を挟んで両側に位置する第一側面および第二側面に導く導光板と、
前記第一側面および前記第二側面のうちの一方の側面に沿って配置され、前記一方の側面から放射される光によって情報を表示する、透光性を有する表示シートとを備え、
前記導光板は、前記一方の側面に設けられた光拡散部を有し、
前記表示シートは、平面視における領域である、前記情報を示す形状の有色物が配置された配置領域を有し、
前記発光装置が発光した場合において、前記一方の側面から放射される光の輝度をＬ０とし、前記配置領域を透過して外部に放射される光の輝度をＬ１としたとき、Ｌ１／Ｌ０は０．１３以上である
照明装置。
【請求項２】
前記照明装置は、前記表示シートを２枚備え、
前記２枚のうちの一方の表示シートは、前記第一側面に沿って配置された第一表示シートであり、前記２枚のうちの他方の表示シートは、前記第二側面に沿って配置された第二表示シートであり、
前記光拡散部は、前記導光板の前記第一側面および前記第二側面の両方に設けられている
請求項１記載の照明装置。
【請求項３】
前記第一表示シートに配置された前記有色物である第一有色物、および、前記第二表示シートに配置された前記有色物である第二有色物は、前記導光板を挟んで互いに対称となる形状に形成されている
請求項２記載の照明装置。
【請求項４】
前記第一表示シートまたは前記第二表示シートには、表裏を識別するための識別情報が付されている
請求項３記載の照明装置。
【請求項５】
さらに、前記発光装置を収容し、前記導光板の、前記端面を含む端部が固定された筐体を備え、
前記筐体は、前記第一表示シートの端部を保持する第一保持部と、前記第二表示シートの端部を保持する第二保持部とを有し、
前記第一保持部および前記第二保持部の少なくとも一方は、保持対象である前記第一表示シートまたは前記第二表示シートの、前記端面の長手方向の移動を許容する空隙部を有する
請求項３または４に記載の照明装置。
【請求項６】
前記光拡散部は、前記一方の側面において並んで配置された複数の凹部または凸部により形成されている
請求項１〜５のいずれか１項に記載の照明装置。
【請求項７】
前記有色物は、前記表示シートの基材の前記導光板側の面に、透光性を有する塗料を塗布することで形成されている
請求項１〜６のいずれか１項に記載の照明装置。
【発明の詳細な説明】
【技術分野】
【０００１】
本発明は、情報を表示する照明装置に関する。
【背景技術】
【０００２】
従来、天井等に配置される照明装置であって、文字または図形等によって情報を表示する照明装置が存在する。
【０００３】
このような照明装置としては、例えば、「サイン照明」と呼ばれる、店舗の看板、広告、または、所定の場所への案内板等として用いられる照明装置がある。また、例えば、非常口または避難通路等の存在を示す誘導灯も、情報を表示する照明装置の一種である。
【０００４】
例えば特許文献１には、入射面から光が入射される導光板と、導光板の表面を被覆する一対の表示板と、導光板の他側面を被覆するとともに一対の表示板の側縁部に接合される一対の接合部を両側縁部に有する表示板エンドとを備える表示灯が開示されている。
【０００５】
この表示灯によれば、一対の表示板と表示板エンドの接合部とが同材質のため密着性がよく接合が強固になる等の効果が奏される。
【先行技術文献】
【特許文献】
【０００６】
【特許文献１】実開平６−５０１１号公報
【発明の概要】
【発明が解決しようとする課題】
【０００７】
上記従来の技術における表示灯のように、導光板の両側面のそれぞれに表示板を備える表示灯では、一方の表示板の側から当該表示灯を見た場合、導光板を挟んで反対側に配置された表示板の図柄が透けて見えるという問題が生じる。その結果、例えば、当該一方の表示板に示される情報の視認性が低下するという問題が生じる。
【０００８】
本発明は、上記従来の課題を考慮し、導光板の側面から放射される光を用いて情報を表示する照明装置であって、情報の表示を適切に行うことができる照明装置を提供することを目的とする。
【課題を解決するための手段】
【０００９】
本発明の一態様に係る照明装置は、発光装置と、端面から内部に入射された前記発光装置からの光を、前記端面を挟んで両側に位置する第一側面および第二側面に導く導光板と、前記第一側面および前記第二側面のうちの一方の側面に沿って配置され、前記一方の側面から放射される光によって情報を表示する、透光性を有する表示シートとを備え、前記導光板は、前記一方の側面に設けられた光拡散部を有し、前記表示シートは、平面視における領域である、前記情報を示す形状の有色物が配置された配置領域を有し、前記発光装置が発光した場合において、前記一方の側面から放射される光の輝度をＬ０とし、前記配置領域を透過して外部に放射される光の輝度をＬ１としたとき、Ｌ１／Ｌ０は０．１３以上である。
【発明の効果】
【００１０】
本発明の一態様に係る照明装置によれば、導光板の側面から放射される光を用いた情報の表示を適切に行うことができる。
【図面の簡単な説明】
【００１１】
【図１】実施の形態に係る照明装置の外観を示す斜視図
【図２】実施の形態に係る照明装置の分解斜視図
【図３Ａ】実施の形態に係る発光装置および導光板を、導光板の第一側面の側から見た場合の部分拡大図
【図３Ｂ】実施の形態に係る発光装置および導光板を、発光装置の長手方向から見た場合の部分拡大図
【図４】実施の形態に係る表示シートの構成概要を示す平面図
【図５】実施の形態に係る表示シートが有する配置領域における光の透過および反射等を示す図
【図６】実施の形態に係る表示シートが有する配置領域の光の透過割合と裏写りの度合いとの関係を示す図
【図７Ａ】実施の形態に係る第一側面に沿って配置される表示シートの構成概要を示す平面図
【図７Ｂ】実施の形態に係る第二側面に沿って配置される表示シートの構成概要を示す平面図
【図８】実施の形態に係る第一表示シートおよび第二表示シートが筐体に取り付けられる様子を示す斜視図
【図９】実施の形態に係る筐体が有する保持部の構成概要を示す図
【図１０】実施の形態に係る保持部が有する第一取付部および第二取付部の構成概要を示す図
【図１１】実施の形態に係る第一表示シートおよび第二表示シートのそれぞれが移動可能であることを示す図
【図１２】実施の形態の変形例に係る照明装置の構成概要を示す斜視図
【発明を実施するための形態】
【００１２】
以下、実施の形態に係る照明装置について、図面を参照しながら説明する。なお、以下に説明する実施の形態およびその変形例のそれぞれは、本発明の一具体例を示すものである。したがって、以下の実施の形態および変形例で示される、数値、形状、材料、構成要素、構成要素の配置位置および接続形態などは、一例であって本発明を限定する主旨ではない。よって、以下の実施の形態および変形例における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
以下、実施の形態に係る照明装置について各図を参照しながら説明する。
【００１５】
［照明装置の全体構成］
まず、図１および図２を用いて、実施の形態に係る照明装置の構成の概要について説明する。
【００１６】
図１は、実施の形態に係る照明装置１００の外観を示す斜視図である。
【００１７】
図２は、実施の形態に係る照明装置１００の分解斜視図である。
【００１８】
図１および図２に示すように、実施の形態１に係る照明装置１００は、発光装置１１０と、端面から内部に入射された発光装置１１０からの光を端面を挟んで両側に位置する第一側面１２１および第二側面１２２に導く導光板１２０とを備える。
【００１９】
照明装置１００はさらに、第一側面１２１および第二側面１２２のうちの一方の側面に沿って配置され、当該一方の側面から放射される光によって情報を表示する、透光性を有する表示シート１５０を備える。導光板１２０は、当該一方の側面（図１、２では、第一側面１２１）に設けられた光拡散部１２１ａを有する。
【００２０】
表示シート１５０は、例えば、ＰＥＴ（Ｐｏｌｙｅｔｈｙｌｅｎｅ  ｔｅｒｅｐｈｔｈａｌａｔｅ）を素材とする透明なシート状の基材に、表示すべき情報を示す形状に形成された有色物が配置された部材である。
【００２１】
本実施の形態では、透光性を有する塗料を、表示シート１５０の基材に塗布することで当該有色物が形成されている。有色物は、平面視（導光板１２０（表示シート１５０）の厚み方向（本実施の形態におけるＹ軸方向）から見た場合）において文字または図形等（以下、「図柄」という。）を表す形状を有している。表示シート１５０におけるシート状の基材の厚みは、例えば０．５ｍｍ程度である。
【００２２】
なお、上記基材に配置される有色物の形成は、例えば、インクジェットプリンタによる印刷によって行うことができるため、多種多様な図柄の印刷を容易に行うことができる。また、印刷される図柄の色についても各種の色を用いることができる。
【００２３】
さらに、表示シート１５０の基材の内側の面（導光板１２０側の面）に、図柄を印刷することで、例えば清掃のために、表示シート１５０の外側の面を布等で擦られた場合であっても、印刷された図柄が削り取られるようなことがない。
【００２４】
また、表示シート１５０の有色物が配置されていない領域（非配置領域）は透明であるため、導光板１２０からの光（本実施の形態では白色光）を、その輝度をほとんど低下させずに外部に放射することができる。また、表示シート１５０の有色物が配置された領域（配置領域）は、導光板１２０からの光（本実施の形態では白色光）の一部を透過させ、残りを吸収および反射する。これにより、照明装置１００を見る人に、図柄によって表される情報を視認させることができる。
【００２５】
ここで、第一側面１２１に沿って配置された表示シート１５０における配置領域では、導光板１２０側への光の反射が生じるため、第二側面１２２側から照明装置１００を見た場合に、表示シート１５０の図柄が透けて見える可能性がある。つまり、表示シート１５０の図柄の裏写りが生じる可能性がある。
【００２６】
このような条件下において、本実施の形態の照明装置１００では、表示シート１５０の配置領域における光の透過割合が調整されていること等により、表示シート１５０の図柄の裏写りが抑制されている。この特徴の詳細については図４〜図６を用いて後述する。
【００２７】
なお、図２では、表示シート１５０は１枚のみ図示されているが、本実施の形態では、第一側面１２１および第二側面１２２それぞれの側に、表示シート１５０を着脱自在に取り付けることができる。
【００２８】
具体的には、本実施の形態では、表示シート１５０の筐体１３０に対する着脱のための構成として、表示シート１５０は、表示シート１５０の端部において所定の距離をあけて配置された第一係合部１５１および第二係合部１５２を有する。
【００２９】
本実施の形態に係る照明装置１００はさらに、発光装置１１０を収容し、導光板１２０の、発光装置１１０からの光が入射される端面を含む端部が固定された筐体１３０を備える。筐体１３０は、表示シート１５０の端部を保持する保持部１４０を有する。
【００３０】
保持部１４０は、第一係合部１５１と係合する第一取付部１４１と、第二係合部１５２と係合する第二取付部１４２とを有する。本実施の形態では、第一係合部１５１および第二係合部１５２のそれぞれは、表示シート１５０の厚み方向に突出する突出部を有する。具体的には、第一係合部１５１は第一突出部１５１ａを有し、第二係合部１５２は第二突出部１５２ａを有する。
【００３１】
第一突出部１５１ａは第一係合部１５１と係合し、かつ、第二係合部１５２は第二取付部１４２と係合する。これにより、表示シート１５０は筐体１３０に保持される。
【００３２】
具体的には、表示シート１５０は可撓性を有しており、第一係合部１５１と第二係合部１５２との距離を縮ませるように撓まされた状態で、筐体１３０に対する取り付けおよび取り外しが行われる。筐体１３０が有する表示シート１５０の保持のための構造については、図９〜図１１を用いて後述する。
【００３３】
筐体１３０は、図２に示すように、発光装置１１０を点灯させるための駆動回路１７０が配置された本体部１３１と、発光装置１１０と導光板１２０とを保持する保持体１３２と、本体部１３１および保持体１３２を覆うカバー１３３とを有する。
【００３４】
なお、筐体１３０は、上記のように複数の部材で構成されている必要はなく、発光装置１１０および導光板１２０等の要素を保持することが可能な、単一の部材で構成されていてもよい。
【００３５】
また、照明装置１００は、外部からの電力を駆動回路１７０に供給する電線、および、駆動回路１７０から発光装置１１０に発光のための電力を供給するリード線等の他の要素も備えている。しかし、本実施の形態に係る照明装置１００の特徴を明確に説明するために、これら他の要素の図示および説明は省略する。
【００３６】
上記構成を有する照明装置１００は、例えば、屋内の天井面に配置される。具体的には、筐体１３０が天井面に取り付けられ、導光板１２０が、筐体１３０から下方に向けて吊り下げられた姿勢となる。この状態において、照明装置１００は、導光板１２０の側面に沿って配置された表示シート１５０に描かれた図柄によって情報を提示することができる。
【００３７】
［発光装置および導光板について］
次に、上記構成を有する照明装置１００の、発光装置１１０および導光板１２０の位置関係等について図３Ａおよび図３Ｂを用いて説明する。
【００３８】
図３Ａは、発光装置１１０および導光板１２０を、導光板１２０の第一側面１２１の側から見た場合の部分拡大図であり、図３Ｂは、発光装置１１０および導光板１２０を、発光装置１１０の長手方向から見た場合の部分拡大図である。なお、図３Ａおよび図３Ｂにおいて、保持体１３２等の、発光装置１１０および導光板１２０以外の要素の図示は省略されている。
【００３９】
図３Ａおよび図３Ｂに示すように、発光装置１１０は、長尺状の基板１１１と、基板１１１に実装された複数の発光素子１１２とを有する。発光装置１１０は、「発光モジュール」とも呼ばれる。
【００４０】
複数の発光素子１１２のそれぞれは、例えば表面実装型（ＳＭＤ：Ｓｕｒｆａｃｅ  Ｍｏｕｎｔ  Ｄｅｖｉｃｅ）のＬＥＤ素子であり、基板１１１の長手方向に並んで配置されている。表面実装型のＬＥＤ素子とは、樹脂成型されたキャビティの中にＬＥＤチップを実装して当該キャビティ内に蛍光体含有樹脂を封入したパッケージ型のＬＥＤ素子である。
【００４１】
例えば、青色ＬＥＤチップと黄色蛍光体含有樹脂との組み合わせにより白色光を放出する表面実装型ＬＥＤ素子が、発光素子１１２として採用される。
【００４２】
なお、発光装置１１０が有する複数の発光素子１１２のそれぞれは、ＬＥＤチップそのものであってもよい。つまり、発光装置１１０は、基板１１１上に複数のＬＥＤチップが直接実装された、ＣＯＢ（Ｃｈｉｐ  Ｏｎ  Ｂｏａｒｄ）型の発光装置（発光モジュール）であってもよい。この場合、例えば、基板１１１上に並んで配置された複数の青色ＬＥＤチップを、黄色蛍光体含有樹脂で封止することで、発光装置１１０から白色光が放出される。
【００４３】
複数の発光素子１１２のそれぞれから放出された光は、図３Ｂに示すように、導光板１２０の端面１２５から導光板１２０の内部に入射し、第一側面１２１および第二側面１２２から外方に放出される。
【００４４】
導光板１２０は、厚みが４ｍｍ程度の透明度の高い板材であり、例えばアクリル樹脂によって形成されている。
【００４５】
より詳細には、導光板１２０の第一側面１２１には光拡散部１２１ａが設けられている。光拡散部１２１ａは、本実施の形態では、第一側面１２１において並んで配置された凹部によって形成されている。
【００４６】
導光板１２０の内部から第一側面１２１を介して外部に放射される光は、光拡散部１２１ａによって拡散されて放射される。また、表示シート１５０の図柄が印刷された領域（配置領域）で反射された光も、光拡散部１２１ａによって拡散されて導光板１２０の内部に入射される。光拡散部１２１ａの詳細については、図５を用いて後述する。なお、本実施の形態では、第二側面１２２にも光拡散部１２２ａ（後述する図８参照）が設けられている。
【００４７】
つまり、本実施の形態では、照明装置１００は、表示シート１５０を２枚備え、当該２枚のうちの一方の表示シート１５０は、第一側面１２１に沿って配置された第一表示シートの一例である。また、当該２枚のうちの他方の表示シート１５０は、第二側面１２２に沿って配置された第二表示シートの一例である。さらに、光拡散部（１２１ａまたは１２２ａ）は、導光板１２０の第一側面１２１および第二側面１２２の両方に設けられている。
【００４８】
このように、照明装置１００では、光を放射する導光板１２０の両側面（第一側面１２１および第二側面１２２）それぞれに沿って表示シート１５０が配置されており、これにより、双方の表示シート１５０に描かれた図柄による情報の提示が行われる。
【００４９】
［表示シートの詳細］
次に、照明装置１００が備える表示シート１５０の詳細について、図４〜図６を用いて説明する。
【００５０】
図４は、表示シート１５０の構成概要を示す平面図である。
【００５１】
図５は、表示シート１５０が有する配置領域１５８における光の透過および反射等を示す図である。なお、図５では、導光板１２０の第一側面１２１に沿って配置された表示シート１５０における光の透過等が模式的に図示されている。
【００５２】
図６は、表示シート１５０が有する配置領域１５８の光の透過割合と裏写りの度合いとの関係を示す図である。なお、図６は、第一側面１２１の側のみに表示シート１５０が配置された導光板１２０を、第二側面１２２の側から観察した場合に透けて見える配置領域１５８が模式的に図示されている。
【００５３】
図４および図５に示すように、表示シート１５０は、平面視における領域である、情報を示す形状の有色物１５７が配置された配置領域１５８を有する。
【００５４】
本実施の形態では、表示シート１５０の基材１５５の導光板１２０側の面に塗料が塗布されることで有色物１５７が形成されている。つまり、有色物１５７は、本実施の形態では、透明なシート状の基材１５５の表面に形成された塗膜によって実現されている。また、表示シート１５０には、有色物１５７が配置された領域が、配置領域１５８として存在する。また、表示シート１５０には、有色物１５７が配置されていない領域が、非配置領域１５９として存在する。
【００５５】
つまり、本実施の形態における配置領域１５８は、例えば図４に示すように、矢印、人が乗ったエスカレータの図、および文字列“ＥＸＩＴ”などの情報を表わす領域である。
【００５６】
なお、図４では、物理的に分離して配置された図および文字等のそれぞれの領域（個別領域）を、配置領域１５８として扱っているが、これら複数の個別領域の集合を、一つの配置領域１５８として扱ってもよい。
【００５７】
また、非配置領域１５９が、表示すべき情報に対応する図柄となるように、有色物１５７が配置されていてもよい。つまり、基材１５５の透明な部分である非配置領域１５９を透過する光によって何らかの情報を表すように、配置領域１５８が表示シート１５０に形成されていてもよい。
【００５８】
ここで、表示シート１５０における配置領域１５８は、上述ように、導光板１２０からの光の一部を透過させ、残りを吸収および反射する領域であり、その結果、配置領域１５８（つまり、有色物１５７によって表される図柄）の裏写りが発生する。
【００５９】
本願発明者らは、配置領域１５８における光の透過割合を所定の値以上とすることよって、配置領域１５８の裏写りが抑制されることを見出した。
【００６０】
具体的には、発光装置１１０が発光した場合において、第一側面１２１から放射される光の輝度をＬ０とし、配置領域１５８を透過して外部に放射される光の輝度をＬ１としたときのＬ１／Ｌ０（光の透過割合）を変化させ、複数の人間により裏写りの変化を観察する実験を行った。この実験に用いた材料等の情報は以下の通りである。
【００６１】
有色物１５７として採用した塗料は、シアン（Ｃ）、マゼンタ（Ｍ）、イエロー（Ｙ）およびブラック（Ｋ）の４色のインクを、Ｃ７５％、Ｍ７５％、Ｙ７５％、Ｋ７５％で印刷したものである。
【００６２】
具体的には、これら４色のインクは武藤工業株式会社製であり、製品名は、シアンインク（ＶＪ−ＭＰ１１ＩＮＫ−ＣＹ９５０）、マゼンタインク（ＶＪ−ＭＰ１１ＩＮＫ−ＭＡ９５０）、イエローインク（ＶＪ−ＭＰ１１ＩＮＫ−ＹＥ９５０）、および、ブラックインク（ＶＪ−ＭＰ１１ＩＮＫ−ＢＫ９５０）である。
【００６３】
これら４色のインクを用いて、インクジェットプリンタによって基材１５５である厚さ約０．５ｍｍの透明なＰＥＴ製シートに所定の図柄を印刷することで有色物１５７を形成した。
【００６４】
また、導光板１２０は、透明なアクリル樹脂製であり、厚みは約４ｍｍである。光拡散部１２１ａは、第一側面１２１に並べられた複数の凹部で形成されている。複数の凹部の各々は、深さ約８１μｍで直径が約１８８μｍの半球状の窪みであり、レーザ加工によって得られている。
【００６５】
また、導光板１２０の第一側面１２１（凹部が形成されていない箇所）と、表示シート１５０の基材１５５との間には、０．０１ｍｍ程度の隙間（空気層）が存在した状態である。
【００６６】
このような条件の下で、導光板１２０に対して固定された複数位置（３５点）において、有色物１５７がない場合に輝度を計測し、これら計測値の平均を算出することでＬ０を求めた。具体的には、本実験では、透明かつ薄いことにより輝度をほとんど低下させない基材１５５を透過した光の輝度を計測することで、第一側面１２１から放射される光の輝度Ｌ０が求められている。
【００６７】
また、当該複数位置（３５点）において、有色物１５７がある場合に輝度を計測し、これら計測値の平均を算出することでＬ１を求めた。また、有色物１５７の厚みを変えることで、有色物１５７の厚みが互いに異なる場合の複数のＬ１を求め、これにより、配置領域１５８における光の透過割合であるＬ１／Ｌ０を変化させた。
【００６８】
このように、Ｌ１／Ｌ０を変化させることで、図６に示すように、配置領域１５８の裏写りの度合いに変化があることが観察された。
【００６９】
具体的には、Ｌ１／Ｌ０が小さい場合よりも、Ｌ１／Ｌ０が大きい方が、第一側面１２１の側の配置領域１５８が、第二側面１２２の側から視認し難い（裏写りの度合いが小さい）という結果が得られた。
【００７０】
これは、Ｌ１／Ｌ０が大きい場合、すなわち、配置領域１５８を透過して外部に放射される光の輝度（Ｌ１）が比較的に大きい場合、配置領域１５８で反射して第二側面１２２の側に向かう光の量が少ないためと考えられる。
【００７１】
言い換えると、Ｌ１／Ｌ０が小さい場合、すなわち、配置領域１５８を透過して外部に放射される光の輝度（Ｌ１）が比較的に小さい場合、配置領域１５８で反射して第二側面１２２の側に向かう光の量が比較的に多いためと考えられる。
【００７２】
より詳細には、本実験において、Ｌ１／Ｌ０が、以下の（１）〜（３）それぞれの場合に、１０人が照明装置１００を観察した。
（１）０．０４８（＝７３ｃｄ／ｍ２（黒色に白色２回塗り）÷１５１２ｃｄ／ｍ２（無色））
（２）０．０６７（＝１０２ｃｄ／ｍ２（黒色に白色１回塗り）÷１５１２ｃｄ／ｍ２（無色））
（３）０．１３（＝１９８ｃｄ／ｍ２（黒色のみ）÷１５１２ｃｄ／ｍ２（無色））
【００７３】
この観察の結果、Ｌ１／Ｌ０が、０．１３の場合、１０人全員が、配置領域１５８が実質的に透けて見えないと判断した。
【００７４】
従って、本実施の形態に係る照明装置１００において、Ｌ１／Ｌ０は０．１３以上である。具体的には、Ｌ１／Ｌ０が０．１３以上となるように、表示シート１５０に配置される有色物１５７の厚み等が決定される。これにより、照明装置１００において、表示シート１５０による情報の表示が適切に行われる。
【００７５】
具体的には、導光板１２０の第一側面１２１に沿って配置された表示シート１５０の図柄（配置領域１５８）の裏写りが抑制されるため、第二側面１２２に沿って配置された表示シート１５０による情報の表示が、当該裏写りによって阻害されない。
【００７６】
また、仮に、第二側面１２２側に表示シート１５０が配置されない場合であっても、当該裏写りが抑制されることで、反転した図柄の第二側面１２２における表示が抑制される。つまり、本来的には表示が不要な情報が、第二側面１２２に表示されることが抑制される。
【００７７】
また、本実施の形態では、導光板１２０の第一側面１２１と、表示シート１５０の基材１５５との間には隙間が存在し、この隙間および光拡散部１２１ａによって、配置領域１５８における反射光が拡散され易い環境が形成されている。その結果、配置領域１５８における、導光板１２０側への光の反射に起因する配置領域１５８の裏写りの抑制効果が高められている。
【００７８】
なお、上記隙間は表示シート１５０の全域において存在していなくてもよい。つまり、表示シート１５０に、第一側面１２１と接触している部分が存在してもよい。この場合であっても、光拡散部１２１ａを形成する複数の凹部が存在することで、配置領域１５８における反射光が拡散され、これにより配置領域１５８の裏写りの抑制効果が高められる。
【００７９】
また、複数の凹部で形成された光拡散部１２１ａは、導光板１２０の内部から様々な角度で第一側面１２１に入射する光の反射（界面における反射）を抑制し、これにより、第一側面１２１における光の取出し効率を向上させる役目も有する。
【００８０】
ここで、導光板１２０の第一側面１２１側の配置領域１５８が、第二側面１２２側から透けて見えやすいか否かには、配置領域１５８の色（つまり有色物１５７の色）も関与すると考えられる。
【００８１】
具体的には、透明な導光板１２０に光源から白色光が入射される場合、導光板１２０は全体として白く光って見えるため、例えば黒い有色物１５７が配置された配置領域１５８は、第二側面１２２側から見た場合に目立ち易いと言える。
【００８２】
そのため、Ｌ１／Ｌ０が同一であっても、配置領域１５８における有色物１５７の色によって、配置領域１５８の裏側（第二側面１２２の側）からの見え易さに差異が生じるとも考えられる。
【００８３】
しかしながら、導光板１２０から表示シート１５０の配置領域１５８に向かって進行する光のうちの配置領域１５８を透過しない光は、配置領域１５８において反射または吸収される。つまり、配置領域１５８を透過しない光のすべてが、第二側面１２２側に向けて反射されるわけではない。
【００８４】
そのため、Ｌ１／Ｌ０が同一である場合であっても、配置領域１５８が有する特性（光の反射（吸収）のしやすさ）に応じて、配置領域１５８から第二側面１２２に向かう反射光の量は異なる。
【００８５】
具体的には、配置領域１５８における有色物１５７の色が例えば黒である場合、配置領域１５８における光の吸収量が多くなり、配置領域１５８の像が第二側面１２２に投影され難いと考えられる。
【００８６】
そのため、全体として白色に光る導光板１２０において目立ち易い黒い有色物１５７が配置領域１５８に配置されている場合であっても、第二側面１２２への裏写りは生じ難いという結果が得られる。
【００８７】
また、配置領域１５８における有色物１５７の色が例えば白である場合、配置領域１５８における光の反射量が多くなり、配置領域１５８の像が第二側面１２２に投影され易いと言える。しかし、その一方で、有色物１５７の色が環境色（導光板１２０の発光色）に近いために、第二側面１２２への裏写りは生じ難い（裏写りが視認され難い）という結果が得られる。
【００８８】
以上から、表示シート１５０に、例えば白い有色物１５７が配置された配置領域１５８と黒い有色物１５７が配置された配置領域１５８とが存在し、かつ、これら２つの配置領域１５８のＬ１／Ｌ０が０．１３以上である場合、裏写りの抑制効果は以下のように説明される。
【００８９】
すなわち、有色物１５７の色が、導光板１２０に対して目立つ色である黒である場合は、光の吸収量が多いため、Ｌ１／Ｌ０が０．１３以上であれば、結果として裏写りが生じ難い。また、有色物１５７の色が、光の反射量が多い白色である場合は、導光板１２０の発光色に対して目立たないため、Ｌ１／Ｌ０が０．１３以上であれば、結果として裏写りが生じ難い。
【００９０】
なお、導光板１２０の第二側面１２２に沿って配置された表示シート１５０についても、配置領域１５８における光の透過割合（Ｌ１／Ｌ０）が０．１３以上である。これにより、第一側面１２１側から照明装置１００を見た場合に、第二側面１２２側に配置された表示シート１５０の図柄が透けて見える可能性が低減される。
【００９１】
つまり、本実施の形態に係る照明装置１００では、導光板１２０の厚み方向の両側のそれぞれに配置される表示シート１５０それぞれの図柄の裏写りが抑制される。これにより、２枚の表示シート１５０用いて、互いに異なる内容の情報を明確に表示することが可能となる。
【００９２】
ここで、例えば導光板１２０の第一側面１２１側から、他の照明装置からの光または環境光等が入射することに起因し、第一側面１２１側の表示シート１５０の図柄が、第二側面１２２の側から視認可能となる場合も考えられる。
【００９３】
そこで、２枚の表示シート１５０それぞれの図柄を、互いに面対称な形状に形成することで、仮に裏写りが強く表れた場合であっても、２枚の表示シート１５０それぞれの情報の表示が、他の情報に阻害されないようにすることができる。
【００９４】
以下、面対称の形状の図柄が配置された２枚の表示シート１５０について説明する。
【００９５】
［２枚の表示シートの図柄の対称性について］
図７Ａは、第一側面１２１に沿って配置される表示シート１５０（第一表示シート１５０ａ）の構成概要を示す平面図であり、図７Ｂは、第二側面１２２に沿って配置される表示シート１５０（第二表示シート１５０ｂ）の構成概要を示す平面図である。
【００９６】
図８は、第一表示シート１５０ａおよび第二表示シート１５０ｂが筐体１３０に取り付けられる様子を示す斜視図である。
【００９７】
なお、第一表示シート１５０ａおよび第二表示シート１５０ｂは、シート状の基材が透明のＰＥＴ製である点など、基本的な構造において、図４等に示す表示シート１５０と共通する。
【００９８】
図７Ａ、図７Ｂ、および図８に示すように、第一表示シート１５０ａに配置された有色物１５７である第一有色物１５７ａ、および、第二表示シート１５０ｂに配置された有色物１５７である第二有色物１５７ｂは、導光板１２０を挟んで対称となる形状に形成されている。
【００９９】
なお、第一表示シート１５０ａにおいて、第一有色物１５７ａが配置された領域は第一配置領域１５８ａであり、第一有色物１５７ａが配置されていない領域は、第一非配置領域１５９ａである。また、第二表示シート１５０ｂにおいて、第二有色物１５７ｂが配置された領域は第二配置領域１５８ｂであり、第二有色物１５７ｂが配置されていない領域は、第二非配置領域１５９ｂである。
【０１００】
つまり、第一配置領域１５８ａと第二配置領域１５８ｂとは、一方を反転させた場合に、他方と一致する関係にある。言い換えると、このように反転させた場合であっても情報の適切な表示（視認する人への正しい情報の提供）を行うことができる図柄が、第一有色物１５７ａおよび第二有色物１５７ｂの形状として選択されている。
【０１０１】
これにより、図８のように導光板１２０の厚み方向の両側に第一表示シート１５０ａと第二表示シート１５０ｂとが配置され、かつ、第一配置領域１５８ａおよび第二配置領域１５８ｂの一方が他方の側に透けた場合であっても、情報の表示に実質的な影響を与えない。
【０１０２】
つまり、第一配置領域１５８ａまたは第二配置領域１５８ｂの裏写りが生じた場合であっても、第一配置領域１５８ａおよび第二配置領域１５８ｂが、導光板１２０の厚み方向から見た場合に重なるため、それぞれの情報提供が適切に行われる。
【０１０３】
また、図７Ａに示すように、表示シート１５０（図７Ａでは、第一表示シート１５０ａ）に、表裏を識別するための識別情報１５４が付されてもよい。識別情報１５４は、例えば第一係合部１５１のような、表示される情報に関与しない部分に付してもよい。これにより、例えば、視認させる必要のない識別情報１５４を人の目から隠すことができる。
【０１０４】
なお、表示シート１５０の「表」とは、表示シート１５０を照明装置１００に取り付けた場合において、導光板１２０と反対側となる面である。表示シート１５０の「裏」とは、表示シート１５０を照明装置１００に取り付けた場合において、導光板１２０側となる面である。
【０１０５】
このように、表示シート１５０に識別情報１５４を付すことで、例えば第一表示シート１５０ａおよび第二表示シート１５０ｂのような、反転させた場合であっても意味を持つ図柄を有する表示シート１５０の表裏の判断が容易となる。
【０１０６】
本実施の形態において、表示シート１５０の「裏」には、有色物１５７（インクジェットプリンタにより印刷された図柄）が配置されている。そのため、例えば有色物１５７の保護の観点から、表示シート１５０の表裏の判断は重要である。
【０１０７】
図７Ａに示す識別情報１５４は、アルファベットの「Ｌ」を表しており、識別情報１５４が付された第一係合部１５１が、表示シート１５０と正対した場合に、左側となるべきことを表している。
【０１０８】
このような識別情報１５４としては、表示シート１５０の図柄に対応付けられた１以上の文字または数字等であって、表裏が反転した場合に意味をなさない（または、反転していることが容易に分かる）１以上の文字または数字等が例示される。
【０１０９】
また、例えば一対の第一表示シート１５０ａおよび第二表示シート１５０ｂにおいて、少なくとも一方に識別情報１５４が付されていれば、当該一方の表裏が容易に判断でき、その結果、他方の表裏も容易に判断することができる。
【０１１０】
ここで、本実施の形態に係る照明装置１００は、２枚の表示シート１５０の位置の固定に遊びを有しており、これにより、第一配置領域１５８ａおよび第二配置領域１５８ｂの位置をより精密に一致させることが可能である。
【０１１１】
以下、筐体１３０が有する表示シート１５０の保持のための構造について、図９〜図１１を用いて説明する。
【０１１２】
［表示シートの保持のための構造］
図９は、筐体１３０が有する保持部１４０の構成概要を示す図である。
【０１１３】
図１０は、保持部１４０が有する第一取付部１４１および第二取付部１４２の構成概要を示す図である。
【０１１４】
図１１は、第一表示シート１５０ａおよび第二表示シート１５０ｂのそれぞれが移動可能であることを示す図である。
【０１１５】
図９に示すように、保持部１４０は、本実施の形態では、表示シート１５０の端部を保持する第一取付部１４１および第二取付部１４２を有する。
【０１１６】
また、保持部１４０は、筐体１３０における、導光板１２０の第一側面１２１側および第二側面１２２側の双方に配置されている。つまり、筐体１３０は、第一側面１２１側の表示シート１５０（例えば、第一表示シート１５０ａ）を保持する第一保持部の一例である保持部１４０を有する。また、筐体１３０は、第二側面１２２側の表示シート１５０（例えば、第二表示シート１５０ｂ）を保持する第二保持部の一例である保持部１４０を有する。
【０１１７】
本実施の形態において、表示シート１５０は、上述のように、第一係合部１５１が第一取付部１４１と係合し、第二係合部１５２が第二取付部１４２と係合する。これにより、表示シート１５０は、第一側面１２１または第二側面１２２に沿って配置される。
【０１１８】
ここで、上述の図４に示すように、表示シート１５０が有する第一係合部１５１と第二係合部１５２との間隔をＤ１とし、図９に示すように、筐体１３０の保持部１４０が有する第一取付部１４１と第二取付部１４２との間隔をＤ２とした場合、Ｄ２＜Ｄ１である。
【０１１９】
さらに、本実施の形態では、第一係合部１５１は表示シート１５０の厚み方向に突出する第一突出部１５１ａを有し、第二係合部１５２は、当該厚み方向に突出する第二突出部１５２ａを有する。
【０１２０】
このような構成において、表示シート１５０を撓ませることで、第一係合部１５１と第二係合部１５２との間の距離が、第一取付部１４１と第二取付部１４２との間の距離に合わせられ、この状態で、筐体１３０に対する着脱が行われる。
【０１２１】
より詳細には、図１０に示すように、第一取付部１４１は、第一係合部１５１の第一突出部１５１ａを有する部分の差し込みが可能な大きさの孔または切り欠きを形成する第一差込部１４１ａを有する。
【０１２２】
第一取付部１４１はさらに、第一差込部１４１ａから、第一取付部１４１と第二取付部１４２とを結ぶ方向（Ｘ軸に平行な双方向、以下同じ）に沿って延設された第一空隙部１４１ｂを有する。つまり、本実施の形態では、第一空隙部１４１ｂは、導光板１２０の端面１２５（図３Ａ、図３Ｂ参照）の長手方向に沿って延設されている。
【０１２３】
第一空隙部１４１ｂは、表示シート１５０の、導光板１２０の端面１２５の長手方向の移動を許容する空隙を形成する部分である。また、第一空隙部１４１ｂが形成する空隙は、第一差込部１４１ａに差し込まれた第一係合部１５１の、差し込みの方向とは逆方向への抜け出しを許容しない大きさである。
【０１２４】
また、第二取付部１４２は、第二係合部１５２の第二突出部１５２ａを有する部分の差し込みが可能な大きさの孔または切り欠きを形成する第二差込部１４２ａを有する。第二取付部１４２はさらに、第二差込部１４２ａから、第一取付部１４１と第二取付部１４２とを結ぶ方向に沿って延設された第二空隙部１４２ｂを有する。つまり、本実施の形態では、第二空隙部１４２ｂは、導光板１２０の端面１２５の長手方向に沿って延設されている。
【０１２５】
第二空隙部１４２ｂは、表示シート１５０の、導光板１２０の端面１２５の長手方向の移動を許容する空隙を形成する部分である。また、本実施の形態では、第二空隙部１４２ｂが形成する空隙は、第二差込部１４２ａに差し込まれた第二係合部１５２の、差し込みの方向とは逆方向への抜け出しを許容しない大きさである。
【０１２６】
なお、本実施の形態では、第一差込部１４１ａおよび第二差込部１４２ａのそれぞれは、筐体１３０の導光板１２０が貫通するスリットの縁に、切り欠きを形成するように設けられている。しかし、第一差込部１４１ａおよび第二差込部１４２ａのそれぞれは、当該スリットの近傍に、孔を形成するように設けられていてもよい。
【０１２７】
ここで、例えば第一係合部１５１に着目すると、第一係合部１５１の第一突出部１５１ａを有する部分が第一差込部１４１ａに差し込まれることで、第一突出部１５１ａが筐体１３０の内方に挿入される。その後、第一係合部１５１を、第一空隙部１４１ｂに沿って左方に移動させる。その結果、第一突出部１５１ａが、筐体１３０の内面に引っかかり、第一係合部１５１が抜け出せない状態となる。
【０１２８】
つまり、第一空隙部１４１ｂの、長手方向に交差する方向の幅は、表示シート１５０の厚み以上であり、かつ、第一突出部１５１ａの同方向の幅よりも小さい。
【０１２９】
また、第二係合部１５２についても同様に、第二差込部１４２ａに差し込んで右方に移動させることで、第二突出部１５２ａが、筐体１３０の内面に引っかかり、第二係合部１５２が抜け出せない状態となる。
【０１３０】
なお、第一突出部１５１ａおよび第二突出部１５２ａのそれぞれは、例えば、表示シート１５０に後付けの別部品として作製することができる。
【０１３１】
このように、筐体１３０が有する保持部１４０は、保持対象である表示シート１５０の、導光板１２０の端面１２５の長手方向の移動を許容する空隙部（第一空隙部１４１ｂおよび第二空隙部１４２ｂのそれぞれ）を有する。
【０１３２】
これにより、例えば、第一表示シート１５０ａの第一配置領域１５８ａが、第二表示シート１５０ｂの第二配置領域１５８ｂに重なるように、第一表示シート１５０ａまたは第二表示シート１５０ｂの位置の調整を行うことが可能となる（図１１参照）。
【０１３３】
なお、第一側面１２１側の保持部１４０（第一保持部）、および、第二側面１２２側の保持部１４０（第二保持部）の少なくとも一方が空隙部を有することで、上記調整は可能である。
【０１３４】
また、実施の形態に係る照明装置１００は、情報の表示に関する構成として、図１〜図１１を用いて説明された構成以外の構成を有してもよい。そこで、照明装置１００の構成についての変形例を、上記実施の形態との差分を中心に以下に説明する。
【０１３５】
（実施の形態の変形例）
図１２は、実施の形態の変形例に係る照明装置１００の構成概要を示す斜視図である。
【０１３６】
図１２に示す照明装置１００は、導光板１２０の両側面（１２１、１２２）に沿って配置される部分を一体に有する表示シート１６０を備える点に特徴を有する。
【０１３７】
表示シート１６０は、上記実施の形態に係る表示シート１５０と同じく、例えば、ＰＥＴを素材とする透明なシート状の基材１５５に図柄が印刷された部材であり、厚さは、例えば０．５ｍｍ程度である。
【０１３８】
表示シート１６０は、第一側面１２１に沿って配置される第一シート部１６０ａと、第二側面１２２に沿って配置される第二シート部１６０ｂとを一体に有している。また、第一シート部１６０ａおよび第二シート部１６０ｂのそれぞれは、第一係合部１５１および第二係合部１５２を有している。
【０１３９】
第一シート部１６０ａは、情報を表示するための第一有色物１６７ａが配置された第一配置領域１６８ａを有し、第二シート部１６０ｂは、情報を表示するための第二有色物１６７ｂが配置された第二配置領域１６８ｂを有する。また、第一有色物１６７ａおよび第二有色物１６７ｂは、導光板１２０を挟んで対称となる形状に形成されている。
【０１４０】
なお、第一シート部１６０ａは、第一表示シートの一例であり、第二シート部１６０ｂは、第二表示シートの一例である。
【０１４１】
つまり、表示シート１６０は、例えば図７Ａおよび図７Ｂに示す第一表示シート１５０ａと第二表示シート１５０ｂとを各々の下端で接続したような形状を有している。
【０１４２】
なお、図１２では、表示シート１６０を、第一シート部１６０ａと第二シート部１６０ｂとが互いに平行になる状態で図示しているが、表示シート１６０は、この形状に予め形成されている必要はない。
【０１４３】
例えば、表示シート１６０は、筐体１３０への取り付け前は、両端のそれぞれに第一係合部１５１および第二係合部１５２が配置された平板状のシートであり、筐体１３０への取り付けの際に中央付近で折り曲げられることで、図１２に示す形状になってもよい。
【０１４４】
本変形例に係る表示シート１６０は、第一シート部１６０ａの筐体１３０と係合していない端部と、第二シート部１６０ｂの筐体１３０と係合していない端部とが接続されている。そのため、例えば、第一シート部１６０ａの第一配置領域１６８ａ（第一有色物１６７ａ）の位置と、第二シート部１６０ｂの第二配置領域１６８ｂ（第二有色物１６７ｂ）の位置とを、容易に精度よく合わせることができる。
【０１４５】
また、例えば、第一シート部１６０ａおよび第二シート部１６０ｂが風または振動等によってめくれ上がることが防止される。
【０１４６】
（他の実施の形態）
以上、本発明に係る照明装置について、上記実施の形態およびその変形例に基づいて説明したが、本発明は、上記実施の形態およびその変形例に限定されるものではない。
【０１４７】
例えば、表示シート１５０における有色物１５７は、基材１５５の内側の面（導光板１２０側の面）ではなく、外側の面（導光板１２０と反対側の面）に配置されてもよい。
【０１４８】
また、有色物１５７は、印刷によって表示シート１５０の基材１５５に形成されなくてもよい。例えば、基材１５５の表面に貼り付けられた樹脂製の薄膜（有色のフィルム）によって有色物１５７が形成されてもよい。
【０１４９】
また、導光板１２０の第一側面１２１に設けられた光拡散部１２１ａは、第一側面１２１において並んで配置された複数の凸部により形成されていてもよい。導光板１２０の第二側面１２２に設けられた光拡散部１２２ａについても同じである。
【０１５０】
また、光拡散部１２１ａまたは１２２ａとして設けられる複数の凹部または凸部を、導光板１２０の表面に形成するための手法はレーザ加工に限定されない。
【０１５１】
例えば、エッチング処理によって細かな凹凸が形成された金型を用いて導光板１２０を成形することで、光拡散部１２１ａまたは１２２ａを有する導光板１２０を得ることも可能である。
【０１５２】
また、光拡散部１２１ａまたは１２２ａは、導光板１２０の一部として形成される必要はない。照明装置１００は、例えば、導光板１２０の両側面（１２１、１２２）のうちの一方の側面と表示シート１５０とに挟まれて配置された、光を拡散して透過させる光拡散シートを、光拡散部１２１ａまたは１２２ａとして備えてもよい。
【０１５３】
また、例えば、第一側面１２１および第二側面１２２のいずれか一方の側のみに表示シート１５０が配置される場合、当該一方のみに光拡散部が設けられてもよい。
【０１５４】
また、照明装置１００が設置される姿勢に特に限定はなく、例えば、導光板１２０が上向きになるように設置されてもよい。この場合、表示シート１５０に換えて、上記変形例に係る表示シート１６０（図１２参照）を取り付けることで、情報を表示する面（第一シート部１６０ａ、第二シート部１６０ｂ）を、導光板１２０に安定的に沿わせることができる。
【０１５５】
また、照明装置１００の設置の態様としては、上述の天井面への設置、床面またはテーブル等への設置のほか、ワイヤ等を用いた天井面からの吊り下げが例示される。また、導光板１２０が壁面に平行となる姿勢で、照明装置１００を当該壁面に設置することも可能である。
【０１５６】
また、照明装置１００は、天井面に固定される必要はない。例えば、天井面から吊り下げられた配線ダクトに照明装置１００が取り付けられてもよい。この場合、配線ダクトに沿った位置であれば、ユーザの所望の位置に、照明装置１００を設置することができる。
【０１５７】
また、表示シート１５０の、筐体１３０に対する取り付け方法に特に限定はなく、例えば、表示シート１５０が筐体１３０にネジ止めされてもよい。また、表示シート１５０は、筐体１３０に対して着脱自在である必要はない。例えば、照明装置１００において表示すべき内容が変更になる可能性が低い場合、表示シート１５０の周縁の一部が、接着剤等によって導光板１２０に固定されてもよい。
【０１５８】
また、表示シート１５０および筐体１３０が、Ｄ１＜Ｄ２（Ｄ１およびＤ２について、図４、図９参照）となるように作製されても構わない。この場合、例えば、第一係合部１５１を第一取付部１４１に係合させ、第一空隙部１４１ｂに沿って右方に移動させた後に、第二係合部１５２を第二取付部１４２に係合させる。その後に、第一係合部１５１および第二係合部１５２を含む表示シート１５０を左側に移動させる。こうすることでも、表示シート１５０の筐体１３０への取り付けは可能である。
【０１５９】
また、発光装置１１０が有する発光素子１１２は、表面実装型ＬＥＤ素子またはＬＥＤチップであるとした。しかし、発光装置１１０が有する発光素子１１２の種類は、ＬＥＤに限定されない。発光装置１１０は、例えば、半導体レーザ等の半導体発光素子、有機ＥＬ（Ｅｌｅｃｔｒｏ  Ｌｕｍｉｎｅｓｃｅｎｃｅ）または無機ＥＬ等の発光素子を有して
もよい。
【０１６０】
また、発光装置１１０が有する光源は、半導体発光素子でなくてもよい。発光装置１１０は、光源として１以上の蛍光管を有してもよい。つまり、発光装置１１０は、１以上の蛍光管から放射される光を導光板１２０に入射してもよい。
【０１６１】
その他、上記実施の形態および変形例に対して当業者が思いつく各種変形を施して得られる形態、および、本発明の趣旨を逸脱しない範囲で上記実施の形態および変形例における構成要素および機能を任意に組み合わせることで実現される形態も本発明に含まれる。
【符号の説明】
【０１６２】
１００  照明装置
１１０  発光装置
１２０  導光板
１２１  第一側面
１２１ａ、１２２ａ  光拡散部
１２２  第二側面
１２５  端面
１３０  筐体
１４０  保持部
１５０、１６０  表示シート
１５０ａ  第一表示シート
１５０ｂ  第二表示シート
１５５  基材
１５７  有色物
１５７ａ、１６７ａ  第一有色物
１５７ｂ、１６７ｂ  第二有色物
１５８  配置領域
【図１】
2016143453.tif 000003
【図２】
2016143453.tif 000004
【図３Ａ】
2016143453.tif 000005
【図３Ｂ】
2016143453.tif 000006
【図４】
2016143453.tif 000007
【図５】
2016143453.tif 000008
【図６】
2016143453.tif 000009
【図７Ａ】
2016143453.tif 000010
【図７Ｂ】
2016143453.tif 000011
【図８】
2016143453.tif 000012
【図９】
2016143453.tif 000013
【図１０】
2016143453.tif 000014
【図１１】
2016143453.tif 000015
【図１２】
2016143453.tif 000016